(57)【特許請求の範囲】
【請求項１】
地山に削孔した孔に挿入されたロックボル卜と前記孔との間にグラウト材が充填され、
前記ロックボル卜に補強パイプを外挿して前記孔内の所定位置まで設け、
前記グラウト材が硬化したら前記地山から突出する前記補強パイプの先端部に引っ張り部材取付具を取り付け、
前記ロックボル卜の前記地山から突出する先端部から前記補強パイプの先端部に、前記引っ張り部材取付具の抜けを規制する押え治具を挿入し、
前記ロックボル卜の先端部にナットを螺着し前記押え治具を介して前記引っ張り部材取付具を押さえ付けて固定した、
ことを特徴とするロックボル卜の補強方法。
【発明の詳細な説明】
【０００１】
【発明の属する技術分野】
この発明は、例えば法面安定工法等に用いられるロックボル卜の補強方法に関する。
【０００２】
【従来の技術】
従来、例えば法面安定工法等のロックボルト工において、強度を増すためには、▲１▼ロックボルトの本数を増やす、▲２▼太径のロックボルトを使用する、▲３▼高強度のロックボルトを使用するなどの方法がある。
【０００３】
【発明が解決使用とする課題】
ところで、  これらの方法ではコスト、施工性に問題がある。特に、ロックネットに使用するアンカーボルトは、地山を削孔してロックボルトを挿入しグラウト材を充填した後、ロックネットを固定するワイヤーを取り付けるものであるが、ワイヤーに荷重がかかったときに、引き抜き強度は十分であるが、曲げ引張若しくは剪断力が加わるような、応力が生じた場合には、強度が不足し、ロックボルトが曲げや剪断力により変形や破断する場合があり、地盤の崩壊につながることがある。また、太径のロックボルトを使用した場合は変形や破断を抑えることはできるが、重量が重いため施工性に問題がある。
【０００４】
この発明は、かかる点に鑑みてなされたもので、前記問題点を克服し、かつ経済的で簡易的にロックボルトを補強することができるロックボル卜の補強方法を提供することを目的とする。
【０００５】
【課題を解決するための手段】
前記課題を解決し、かつ目的を達成するために、請求項１記載の発明は、『地山に削孔した孔に挿入されたロックボル卜と前記孔との間にグラウト材が充填され、
前記ロックボル卜に補強パイプを外挿して前記孔内の所定位置まで設け、
前記グラウト材が硬化したら前記地山から突出する前記補強パイプの先端部に引っ張り部材取付具を取り付け、
前記ロックボル卜の前記地山から突出する先端部から前記補強パイプの先端部に、前記引っ張り部材取付具の抜けを規制する押え治具を挿入し、
前記ロックボル卜の先端部にナットを螺着し前記押え治具を介して前記引っ張り部材取付具を押さえ付けて固定した、
ことを特徴とするロックボル卜の補強方法。』であり、ロックボル卜に孔内の所定位置まで補強パイプを挿入したので、剪断力が向上し、ロックボルトの曲げや剪断力により変形や破断することを防止することができる。また、引っ張り部材取付具により確実に引っ張り部材を取り付けることができ、しかも押え治具により引っ張り部材取付具の浮き上がりを防止できる。さらに、従来のロックボル卜を使用して簡易的にロックボルトを補強することができるので経済的である。
【０００６】
【発明の実施の形態】
以下、この発明のロックボル卜の補強方法の実施の形態を図面に基づいて説明する。まず、ロックボル卜の補強方法の第１の実施の形態を図１乃至図３に示し、図１はロックボル卜の補強方法を示す図、図２は補強パイプを示す図、図３は押え治具を示す図である。
【０００７】
地山１に削孔した孔２にグラウト材３を注入して充填し、ロックボル卜４を挿入する。グラウト材３の注入時期は、ロックボル卜４の挿入後でもよい。
【０００８】
グラウト材３が硬化する前に角座金５を介して補強部材である補強パイプ６をロックボル卜４に孔２内の所定位置まで挿入する。補強パイプ６には、図１及び図２に示すようにストッパー部６ａが設けられており、補強パイプ６を押し込みストッパー部６ａが角座金５に当接することで挿入位置が決定される。ストッパー部６ａは補強パイプ６を押し込んだとき、角座金５にひっかかるようになっていれば形状等特に限定されない。
【０００９】
これにより、補強パイプ６とロックボル卜４の隙間にグラウト材３が充填される。グラウト材３が十分に硬化したら地山１から突出する補強パイプ６の先端部に引っ張り部材取付具７を取り付ける。そして、補強パイプ６の先端部に押え治具８を挿入し引っ張り部材取付具７の抜け止めを行い、ロックボル卜４の先端部にナット９を螺着し固定する。
【００１０】
このようにして、引っ張り部材取付具７は、ロックボル卜４に挿入された補強パイプ６の先端部に取り付けられる。押え治具８は、一方に引っ張り部材取付具７が抜け出さないようにするストッパー部８ａを有し、他方にナット９の締付荷重を受ける座金部８ｂを有し、引っ張り部材取付具７の移動と抜け出しを防ぐものである。押え治具８の高さＨは、図１に示すようにナット９を螺着した時に、座金部８ｂが補強パイプ６の先端に当接しない高さである。これにより、押え治具８は、確実に引っ張り部材取付具７を押さえつけることができる。
【００１１】
なお、押え治具８は、図３に示すものに限定されず、引っ張り部材取付具７を押圧できれば所定厚さの平板等でもよい。また、使用するロックボル卜４は、全ねじタイプまたはボルト端部がネジになってナット９が螺着可能なものならばよい。さらに、自穿孔タイプのロックボル卜でもよい。また、この実施の形態では、補強パイプ６にストッパー部６ａを一体に設けているが、平板等を溶接してもよい。
【００１２】
また、補強パイプ６を角座金５より先に挿入してもよく、この場合ストッパー部６ａが地山１に当接して位置決めされ、その後に角座金５を挿入して引っ張り部材取付具７を取り付ける。
【００１３】
このように、ロックボル卜４に孔２内の所定位置まで補強パイプ６を挿入したので、  剪断力が向上し、引っ張り部材取付具７からの引っ張りによるロックボルト４の曲げや剪断力により変形や破断することを防止することができる。また、引っ張り部材取付具７により確実に引っ張り部材を取り付けることができ、しかも押え治具８により引っ張り部材取付具７の浮き上がりを防止できる。
【００１４】
また、ロックボル卜４に補強パイプ６を取り付けるだけで簡単に補強ができるので施工性がよい。さらに、補強パイプ６を使用することで最小限の削孔径でロックボル卜４の補強ができ、従来のロックボル卜４を使用して簡易的にロックボルト４を補強することができるので経済的である。
【００１５】
また、補強パイプ６の埋め込み深さを変えることにより様々な地山に対応できる。
【００１６】
次に、ロックボル卜の補強方法の第２の実施の形態を図４に示す。このロックボル卜の補強方法は、図１と同様に構成されるが、補強部材の変形例を示すもので、ロックボル卜４にストッパー部１６ａを有するスリーブ１６を圧着したものである。この場合、ロックボル卜４とスリーブ１６の隙間がないので補強パイプ６に比べ細径にでき、また削孔した孔２に挿入するだけなので施工性がよい。また、この実施例では、ロックボル卜４にスリーブ１６が圧着されているから、ストッパー部１６ａはなくてもよい。
【００１７】
次に、ロックボル卜の補強方法が用いられる法面安定工法について説明する。図５はロックカバーネットを支持する状態を示す図、図６は引っ張り部材取付具を示す図、図７は図６のＶＩＩ−ＶＩＩ線に沿う断面図、図８はＵボルトの平面図である。
【００１８】
法面安定工法に用いられるロックカバーネット６０は、落石等を防止するものであり、このロックカバーネット６０にはワイヤーロープ６１，６２が縦横に所定間隔で針金等で取り付けられている。それぞれのワイヤーロープ６１，６２は、両端部が引っ張り部材取付具７を介してロックボル卜４に固定されている。引っ張り部材取付具７は、図６乃至図８に示すように緩衝金具７０とＵボルト７１を有し、緩衝金具７０は、一対の金具７２，７３でワイヤーロープ６１，６２を挟み、ボルト７４とナット７５で締付固定して構成される。Ｕボルト７１は、その両端部７１ａを一対の金具７２，７３のボス部７２ａ，７３ａに挿通し、ボス部７２ａ，７３ａから突出するネジ部７１ｂにナット７６を螺着して緩衝金具７０に取り付けられる。このようにして、緩衝金具７０に取り付けられたＵボルト７１の屈曲部７１ｃをロックボルト４の補強部材に取り付け、ナット７６を回動してワイヤーロープ６１，６２を引っ張り、ロックカバーネット６０を張り落石の発生自身を防止する。
【００１９】
図９はロックカバーネットを支持する他の実施の形態を示す図である。この実施の形態では、引っ張り部材取付具７は図６乃至図８に示す実施の形態と同様に構成されるが、ロックカバーネット６０に１本のワイヤーロープ８０を縦方向の上下に所定間隔でターンさせて針金等で取り付け、同様にロックカバーネット６０に１本のワイヤーロープ８１を横方向の上下に所定間隔でターンさせて針金等で取り付け、それぞれのワイヤーロープ８０，８１のターン部を引っ張り部材取付具７により支持してロックカバーネット６０を張り落石の発生自身を防止する。
【００２０】
【発明効果】
前記したように、この発明によれば、ロックボル卜に孔内の所定位置まで補強パイプを設けたので、 剪断力が向上し、ロックボルトの曲げや剪断力により変形や破断することを防止することができる。また、引っ張り部材取付具により確実に引っ張り部材を取り付けることができ、しかも押え治具により引っ張り部材取付具の浮き上がりを防止できる。また、ロックボル卜に補強部材を取り付けるだけで簡単に補強ができるので施工性がよい。さらに、補強部材を使用することで最小限の削孔径でロックボル卜の補強ができるので、従来のロックボル卜を使用して簡易的にロックボルトを補強することができるので経済的である。
【図面の簡単な説明】
【図１】ロックボル卜の補強方法を示す図である。
【図２】補強パイプを示す図である。
【図３】押え治具を示す図である。
【図４】ロックボル卜の補強方法の第２の実施の形態を示す図である。
【図５】ロックカバーネットを支持する状態を示す図である。
【図６】引っ張り部材取付具を示す図である。
【図７】図６のＶＩＩ−ＶＩＩ線に沿う断面図である。
【図８】Ｕボルトの平面図である。
【図９】ロックカバーネットを支持する他の実施の形態を示す図である。
【符号の説明】
１  地山
２  孔
３  グラウト材
４  ロックボル卜
７  引っ張り部材取付具
８  押え治具
９  ナット
【図１】
0003867743.tif 000002
【図２】
0003867743.tif 000003
【図３】
0003867743.tif 000004
【図４】
0003867743.tif 000005
【図５】
0003867743.tif 000006
【図６】
0003867743.tif 000007
【図７】
0003867743.tif 000008
【図８】
0003867743.tif 000009
【図９】
0003867743.tif 000010